(57)【特許請求の範囲】
【請求項１】
インプラント施術用ドリルにおいて、
ドリル連結部（１０）と、前記ドリル連結部（１０）の下部にドリル部（２０）が位置した構造であり、
前記ドリル連結部（１０）は、上部の一側に設けられたドリル上部（１１）と、前記ドリル上部（１１）の下部に形成されたドリル固定溝（１２）と、前記ドリル固定溝（１２）の下部に設けられたドリル連結胴体（１３）で構成され、
前記ドリル部（２０）は、円筒状であり、下部に行くほど直径が狭くなり、内部には空間部が形成されており、側面には一定の間隔で離隔されて内部空間部に貫通された多数の側面貫通部（２２）と、前記多数の側面貫通部（２２）の一側周縁に設けられた多数の側面骨切削カッタ（２１）と、下部末端部に設けられた鋸歯状の下部骨切削カッタ（３０）と、を含んで構成され、
前記側面貫通部（２２）は、前記側面骨切削カッタ（２１）に隣接すると共に前記側面骨切削カッタ（２１）に対して垂直に配置され、前記側面骨切削カッタ（２１）によって切削された歯槽骨の辺縁骨を、前記側面貫通部（２２）を介して、前記ドリル部（２０）の内部の空間部に導き、自家骨の採取を可能にし、
一回のドリリングによってテーパー型フィクスチャの植立口を形成する
ことを特徴とするインプラント施術用ドリル。
【請求項２】
インプラント施術用ドリルにおいて、
ドリル連結部（１０）と、前記ドリル連結部（１０）の下部にドリル部（１２０）が位置した構造であり、
前記ドリル連結部（１０）は、上部の一側に設けられたドリル上部（１１）と、前記ドリル上部（１１）の下部に形成されたドリル固定溝（１２）と、前記ドリル固定溝（１２）の下部に設けられたドリル連結胴体（１３）で構成され、
前記ドリル部（１２０）は、円筒状であり、下部に行くほど直径が狭くなり、内部には空間部が形成されており、側面には一定の間隔で離隔されて内部空間部に貫通された多数の側面貫通部（１２２）と、前記多数の側面貫通部（１２２）の一側周縁に設けられた多数の側面骨切削カッタ（１２１）と、下部末端部に設けられた鋸歯状の下部骨切削カッタ（１３０）と、を含んで構成され、
前記側面貫通部（１２２）は、前記下部骨切削カッタ（１３０）の垂直から一側面に曲げられた形状であり、
また、前記側面貫通部（１２２）は、前記側面骨切削カッタ（１２１）に隣接すると共に前記側面骨切削カッタ（１２１）に対して垂直に配置され、前記側面骨切削カッタ（１２１）によって切削された歯槽骨の辺縁骨を、前記側面貫通部（１２２）を介して、前記ドリル部（１２０）の内部の空間部に導き、自家骨の採取を可能にし、
一回のドリリングによってテーパー型フィクスチャの植立口を形成する
ことを特徴とするインプラント施術用ドリル。
【発明の詳細な説明】
【技術分野】
【０００１】
本発明は、一方はインプラント施術用ハンドピースとの締結構造を有し、他方は内部が空いている円筒パイプの構造をしており、下部骨切削カッタと側面骨切削カッタとが共にあり、一回のドリリングにより歯槽骨の下部と側面とが同時に切削され、円筒状の自家骨の採取と共に、植立する際に、シリンダー型のインプラントより初期固定が容易であるテーパー型のインプラントフィクスチャの植立口の形成が可能であるインプラント施術用ドリルに関する。
【背景技術】
【０００２】
近来、人工歯牙を植立するインプラント施術が速く普及されており、歯科における普遍的な施術となりつつある。
【０００３】
インプラントを施術する際、一般的にはドリルを用いてフィクスチャが埋食される溝を歯槽骨にドリリングする作業が行われる。
【０００４】
歯槽骨にインプラントフィクスチャ植立穴を形成することにおいて、過度な切削抵抗により小さな穴を形成し、順次に大きな穴を形成することで、最終のインプラントフィクスチャ植立穴を形成するよう、インプラント植立のために同じ長さの直径が小さなサイズを有するドリルから始まり、所望の直径のドリルまでの幾つかのドリルを繰り返して使用して歯槽骨を切削し、インプラント植立口を形成する問題点を解決するために、多くの研究が行われてきた。
【０００５】
韓国登録特許公報第１００７５９２６１号には、歯槽骨に穴を穿孔する際、歯槽骨の骨が収容される骨収容部が内部に形成されているドリル胴体;ドリル胴体の端部に形成され、ドリル胴体が回転する際、歯槽骨に穴（ｈｏｌｅ）を穿孔する複数の切削カッタ;及び、ドリル胴体の外周に歪み角度を有し、ドリル胴体の表面から陷沒して形成され、歯槽骨を穿孔する際に発生される歯槽骨の骨切れの排出を導く複数の骨排出路を含むインプラントドリルが公開されていることが分かる。
【０００６】
一方、韓国登録特許公報第１００９８５６０４号には、中空が形成されている円筒状の切削部、前記切削部の外周に着脱可能に中空が形成されているストッパ、前記切削部の一側端部に設けられたストッパ支持部、及び前記ストッパ支持部に設けられたシャンク部を含むドリルであって、前記切削部は、切削カッタ、前記切削カッタの下部に中空部が切削部の側面を通じて外部と疎通されるように形成された切削物排出口を含み、前記ストッパは、切削カッタを切削しようとする深さだけ露出させる縦方向の長さを有し、ストッパ支持部は、ストッパが縦方向に押されることを防止するための支持部を形成することを特徴とする上顎洞挙上術用中空型ドリルが公開されていることが分かる。
【０００７】
さらに、韓国登録特許公報第１００９４６２６９号には、一端部に歯槽骨を穿孔するためのカッタが設けられ、他端部に貫通孔が形成されている穿孔胴体;及び、穿孔胴体の貫通孔に向けて穿孔胴体の一端部に接近及び離隔可能に穿孔胴体に結合され、穿孔作業の際に歯槽骨の穿孔の深さを調節するロード胴体を含むインプラントドリルが記載されていることが分かる。
【０００８】
尚、韓国公開特許公報第１０-２０１０-０００８０９５号には、インプラント施術のために歯槽骨を穿孔するインプラント施術用ドリルにおいて、端部に切削カッタ１２が形成された中空管状のドリル胴体１０;前記ドリル胴体１０の下部に結合され、歯科用ハンドピースに装着される連結体２０;前記ドリル胴体１０内に挿入されて弾性支持され、外部に出沒する突出部材３０;前記ドリル胴体１０が歯槽骨に一定の深さだけ挿入されるように前記ドリル胴体１０の外周面に交替可能に装着され、前記連結体２０上に安着される中空管状のストッパ４０;からなり、前記ストッパ４０の中央部には、前記ストッパ４０が一定の高さだけ圧縮可能にする収縮部４２が形成されたことを特徴とするストッパが備えられたインプラント施術用ドリルが公開されていることが分かる。
【０００９】
また、韓国公開特許公報第１０-２００９-００９８４２８号には、切削部は、切削カッタ、前記切削カッタの下部に中空部が切削部の側面溝を通じて外部と疎通されるように形成された切削物排出口を含み、前記ストッパは、切削カッタを、切削しようとする深さだけ露出させる縦方向の長さを有し、ストッパ支持部は、ストッパが縦方向に押されることを防止するための支持部を形成することを特徴とする上顎洞挙上術用中空型ドリルが記載されていることが分かる。
【００１０】
さらに、韓国登録実用新案公報第２０-０３２３６４７号には、ドリルの本体部を、底面が開放されて開口部を有する円筒状に構成し、前記開口部の周縁を、ネジ山が繰り返される形態の基本カッタで構成し、前記本体部の円筒状の内部に、開口部側に直立する垂直カッタが形成されたインプラントドリルが公開されていることが分かる。
【００１１】
尚、韓国登録実用新案公報第２０-０２３０４７５号には、上下部が開口した円筒であり、側面に多数の貫通孔が形成されて締結部１５０を成し、下部の端部はテープが形成され、設定された深さまで穴が形成されれば、不均一面である歯牙喪失部位の上面と円滑な接触が可能になるようにし、これ以上の深さまで穴が形成されることを防止するストッパ１００と;前記ストッパ１００の側面に形成された締結部１５０に挿入され、ドリル本体４００に前記ストッパ１００を固定させる多数の締結部材２００;を含んで構成され、前記歯牙喪失部位に正確な深さの穴を形成させることを助けるインプラント施術用ドリルストッパが記載されていることが分かる。
【００１２】
さらに、韓国登録実用新案公報第２０-０３３８０９５号には、チャック結合部、シャンク部、ドリル部を含む歯科用ストッパドリルにおいて、前記シャンク部とドリル部との間には、円周に沿ってシャンク部とドリル部との直径より大きく突出され、ドリルが所定の深さのみ溝を掘るようにするストッパが一体に形成されている歯科用ストッパドリルが公開されていることが分かる。
【発明の概要】
【発明が解決しようとする課題】
【００１３】
上記のような従来のインプラント施術用ドリルは、歯槽骨にインプラントフィクスチャ植立穴の形成において、過度な切削抵抗により小さな穴を形成し、順次に大きな穴を形成することで、最終のインプラントフィクスチャ植立穴を形成するために、図５Ａ〜図５Ｆに示すように、インプラント植立のために同じ長さの直径が小さなサイズを有するドリルから始まり、所望の直径のドリルまでの幾つかのドリルを繰り返して使用して歯槽骨を切削し、インプラント植立口を形成してきた。
【００１４】
しかし、第一に、ドリルの種類とドリリング回数が多くなることによって、施術が複雑になると共に、費用が高額になり、第二に、施術時間の長期化によって、患者の苦痛が酷くなると共に、施術者の不便が発生し、第三に、植立口だけ骨が切削され、骨切削が多くなり、第四に、既存のドリルは使用すべきドリルの個数が多くなると共に、製作費用が高額になり、繰り返して使用する際に、耐久性が弱くなる問題点が、本発明が解決しようとする課題である。
【課題を解決するための手段】
【００１５】
本発明は、上記のような問題点を解決するために案出したものであり、一回のドリリングによりテーパー型フィクスチャの植立口を形成するために、下部骨切削カッタと側面骨切削カッタにより歯槽骨の辺縁骨のみ切削し、小さな切削抵抗で一遍にテーパー型フィクスチャの植立穴を形成すると同時に、自家骨の採取が可能になるように、本発明は、ドリル部２０は、円筒状であり、下部に行くほど直径が狭くなり、内部には空間部が形成されており、側面には一定の間隔で離隔されて内部空間部に貫通された多数の側面貫通部２２と、前記多数の側面貫通部２２の一側周縁に設けられた多数の側面骨切削カッタ２１と、下部末端部に設けられた鋸歯状の下部骨切削カッタ３０で構成されたインプラント用ドリルを提供することが本発明の課題解決の手段である。
【発明の効果】
【００１６】
本発明は、側面骨切削カッタ、垂直骨切削カッタ、及び中央通空によって切削される骨を最小化しており、簡単に脱着可能であり、一回のドリリングで植立口が完成され、最小限の骨切削によって付加的に自家骨の採取が可能であり、高い骨移植材の使用を低減することができ、一回のみのドリリングで施術時間を大幅に短縮することができ、施術の安全性を確保することができ、かつ、構造が簡単であるため、使用及び取り扱い上の便宜性を向上すると共に、大量の量産が可能であるため、製品の標準化及び経済的な普及を可能にする効果がある。
【図面の簡単な説明】
【００１７】
【図１】本発明のインプラント施術用ドリルの全体図である。
【図２】本発明のインプラント施術用ドリルの正面詳細図である。
【図３】本発明のインプラント施術用ドリルの他の例示図である。
【図４】本発明のインプラント施術用ドリルの使用状態図である。
【図５】従来のインプラントドリルの使用状態図である。
【発明を実施するための形態】
【００１８】
所望の長さのインプラント用ドリルを選択した後、駆動させる駆動ドリルの胴体に、選択されたインプラント用ドリルのドリル連結部１０のドリル上部１１とドリル固定溝１２を用いて組み立てた後、ドリル本体を手術モーターのハンドピースに連結して電源をオンすると、駆動ドリルの回転によりインプラント用ドリルを回転させ、所望の深さだけドリル下部を用いてドリリングした後（図４Ａを参照）、植立口の中央に残っている突起状の歯槽骨をピンセットで取り除いて（図４Ｂを参照）植立口を形成し、インプラントを施術した。
【００１９】
上記のような目的を達成するために、本発明は、一方はインプラント施術用ハンドピースとの締結構造を有し、他方は内部が空いている円筒パイプの構造をしており、下部骨切削カッタと側面骨切削カッタとが共にあり、一回のドリリングにより歯槽骨の下部と側面とが同時に切削され、円筒状の自家骨の採取と共に、植立する際に、シリンダー型のインプラントより初期固定が容易であるテーパー型のインプラントフィクスチャの植立口の形成が可能であるインプラント施術用ドリルに関する。
【００２０】
より詳細に説明すると、本発明は、ドリル連結部１０と、前記ドリル連結部１０の下部にドリル部２０が位置した構造であり、前記ドリル連結部１０は、上部の一側に設けられたドリル上部１１と、前記ドリル上部１１の下部に形成されたドリル固定溝１２と、前記ドリル固定溝１２の下部に設けられたドリル連結胴体１３で構成され、前記ドリル部２０は、円筒状であり、下部に行くほど直径が狭くなり、内部には空間部が形成されており、側面には一定の間隔で離隔されて内部空間部に貫通された（下部切削カッタの垂直に貫通）多数の側面貫通部２２と、前記多数の側面貫通部２２の一側周縁に設けられた多数の側面骨切削カッタ２１と、下部末端部に設けられた鋸歯状の下部骨切削カッタ３０で構成されたインプラント用ドリルに関する。
【００２１】
本発明の側面貫通部２２と側面骨切削カッタ２１の個数は１〜１０個であり、４個が適当である。
【００２２】
本発明は、下部骨切削カッタと側面骨切削カッタにより歯槽骨の辺縁骨のみ切削し、小さな切削抵抗で一遍にテーパー型フィクスチャの植立穴を形成すると同時に、自家骨の採取が可能であるインプラントドリルである。
【００２３】
施術方法は、通常のインプラント植立口の形成の際には、直径が小さなドリルで基礎植立口を形成し、次第に直径が大きいドリルを用いて歯槽骨を切削し、所望の大きさの植立口を形成して固定口（フィクスチャ）を植立していたが、本発明では、所望の直径のドリル１０-１を選択して、ドリル本体（図示せず）に結合した後、ドリル本体を手術モーター（図示せず）の軸に連結した（ハンドピースに挟んだ）後、モーターに連結された軸に固定させて歯槽骨をドリリングすれば、円形の溝が形成され、ピンセットで円形の溝の内部に位置した歯槽骨を取り除いた後、インプラント（フィクスチャ）を植立して施術する方法である。
【００２４】
取り除かれた歯槽骨は自家骨であり、インプラントの施術の際に必要である人工骨として使用可能である。
【００２５】
本発明では、所望の直径のインプラント用ドリルを選択し、駆動ドリル本体（図示せず）に結合させた後、ドリル本体を手術モーター（図示せず）の軸に連結した（ハンドピースに挟んだ）後、モーターに連結された軸に固定させ、歯槽骨をドリリングする装置である。
【００２６】
以下、図面を参考して説明すると、次の通りである。
【００２７】
図１は、本発明のインプラント施術用ドリルの全体図であり、図２Ａ〜図２Ｃは、本発明のインプラント施術用ドリルの正面詳細図であり、図３は、本発明のインプラント施術用ドリルの他の例示図であり、図４Ａ〜図４Ｃは、本発明のインプラント施術用ドリルの使用状態図であり、図５Ａ〜図５Ｆは、従来のインプラントドリルの使用状態図であり、ドリル連結部１０、ドリル上部１１、ドリル固定溝１２、ドリル連結胴体１３、ドリル部２０、１２０、側面骨切削カッタ２１、１２１、側面貫通部２２、１２２、下部骨切削カッタ３０、１３０を示すものである。
【００２８】
構造を説明すると、図１及び図２Ａ〜図２Ｃに示すように、本発明のインプラント施術用ドリルは、ドリル連結部１０と前記ドリル連結部１０の下部にドリル部２０が位置した構造である。
【００２９】
前記ドリル連結部１０は、上部の一側に設けられたドリル上部１１と、前記ドリル上部１１の下部に形成されたドリル固定溝１２と、前記ドリル固定溝１２の下部に設けられたドリル連結胴体１３で構成される。
【００３０】
前記ドリル部２０は、円筒状であり、下部に行くほど直径が狭くなり、内部には空間部が形成されており、側面には一定の間隔で離隔されて内部空間部に貫通された（下部切削カッタの垂直に貫通）多数の側面貫通部２２と、前記多数の側面貫通部２２の一側周縁に設けられた多数の側面骨切削カッタ２１と、下部末端部に設けられた鋸歯状の下部骨切削カッタ３０で構成されたインプラント用ドリルの構造である。
【００３１】
他の本発明のインプラント施術用ドリルは、図３に示すように、ドリル連結部１０と、前記ドリル連結部１０の下部にドリル部１２０が位置した構造である。
【００３２】
前記ドリル連結部１０は、上部の一側に設けられたドリル上部１１と、前記ドリル上部１１の下部に形成されたドリル固定溝１２と、前記ドリル固定溝１２の下部に設けられたドリル連結胴体１３で構成される。
【００３３】
前記ドリル部１２０は、円筒状であり、下部に行くほど直径が狭くなり、内部には空間部が形成されており、側面には一定の間隔で離隔されて内部空間部に貫通された多数の傾いた形状（下部切削カッタの垂直から一側面に曲げられた（ツイストした））の側面貫通部１２２と、前記多数の側面貫通部１２２の一側周縁に設けられた多数の傾いた形状の側面骨切削カッタ１２１と、下部末端部に設けられた鋸歯状の下部骨切削カッタ１３０で構成されたインプラント用ドリルの構造である。
【００３４】
組立状態を説明すると、所望の長さのインプラント用ドリルを選択した後、駆動させる駆動ドリルの胴体に、選択されたインプラント用ドリルのドリル連結部１０のドリル上部１１とドリル固定溝１２を用いて組み立てた後、使用方法は、上記のように組み立てた後、ドリル本体を手術モーターのハンドピースに連結して電源をオンすると、駆動ドリルの回転によりインプラント用ドリルを回転させ、所望の深さだけドリル下部を用いてドリリングした後（図４Ａを参照）、植立口の中央に残っている突起状の歯槽骨をピンセットで取り除いて（図４Ｂを参照）植立口を形成し、インプラントを施術する方法である。
【産業上の利用可能性】
【００３５】
一方はインプラント施術用ハンドピースとの締結構造を有し、他方は内部が空いている円筒パイプの構造をしており、下部骨切削カッタと側面骨切削カッタとが共にあり、一回のドリリングにより歯槽骨の下部と側面とが同時に切削され、円筒状の自家骨の採取と共に、植立する際に、シリンダー型のインプラントより初期固定が容易であるテーパー型のインプラントフィクスチャの植立口の形成が可能であるインプラント施術用ドリルに関する。
【図１】
0005969588.tif 000002
【図２】
0005969588.tif 000003
【図３】
0005969588.tif 000004
【図４】
0005969588.tif 000005
【図５】
0005969588.tif 000006